(57)【特許請求の範囲】
【請求項１】
ローラ主軸の駆動側および作業側の両端部が軸支され、また前記ローラ主軸に、該ローラ主軸からの回転力を伝達可能で、かつ該ローラ主軸の長さ中間位置を基点に互いに近接または離反摺動可能な駆動側矯正ローラおよび作業側矯正ローラが外挿された両持ち式形鋼ローラ矯正機のローラ幅調整装置であって、
前記ローラ主軸の基点を中心に、前記駆動側および作業側矯正ローラをローラ軸方向へ摺動させる摺動手段と、前記駆動側および作業側矯正ローラをそれぞれの摺動位置に固定する駆動側および作業側固定手段とを備え、
しかも、前記摺動手段が、前記ローラ主軸の基点の部分に、前記駆動側および作業側矯正ローラの何れか一方ずつをローラ軸方向へ摺動させるローラ幅調整用の中央側雄、雌ねじリングと、外周配置された該中央側雄または雌ねじリングをローラ軸方向への移動は許容させてその周方向の回転を停止可能な中央側ブレーキ手段とを有し、また前記内周配置された中央側雌または雄ねじリングが、前記ローラ主軸の回転に伴って回転することを特徴とする両持ち式形鋼ローラ矯正機のローラ幅調整装置。
【請求項２】
前記駆動側固定手段が、前記ローラ主軸の駆動側矯正ローラより駆動側に配置されて、前記中央側雄、雌ねじリングのねじピッチの半分のねじピッチを有する駆動側固定雄、雌ねじリングと、外周配置された該駆動側固定雄または雌ねじリングを、ローラ軸方向への移動は許容させてその周方向の回転を停止可能な駆動側ブレーキ手段とを有しており、また前記作業側固定手段が、前記ローラ主軸の作業側矯正ローラより作業側に配置されて、前記駆動側固定雄、雌ねじリングのねじとは、同一ピッチで逆ねじの作業側固定雄、雌ねじリングと、外周配置された該作業側固定雄または雌ねじリングを、ローラ軸方向への移動は許容させてその周方向の回転を停止可能な作業側ブレーキ手段とを有し、また前記内周配置された駆動側固定雌または雄ねじリング、前記作業側固定雌または雄ねじリングが、前記ローラ主軸の回転に伴って回転することを特徴とする請求項１記載の両持ち式形鋼ローラ矯正機のローラ幅調整装置。
【請求項３】
前記中央側及び／又は駆動側、作業側ブレーキ手段が、対応する前記外周配置された中央側及び／又は駆動側、作業側固定雄または雌ねじリングの外周面に形成された複数の掛止溝に掛止される掛止フックと、該掛止フックの掛止手段とを有していることを特徴とする請求項２記載の両持ち式形鋼ローラ矯正機のローラ幅調整装置。
【発明の詳細な説明】
【０００１】
【産業上の利用分野】
本発明は、両持ち式形鋼ローラ矯正機のローラ幅調整装置に係り、更に詳しくは、駆動側および作業側矯正ローラによる形鋼（例えばＨ形鋼）の不均一圧下を防止できる両持ち式形鋼ローラ矯正機のローラ幅調整装置に関する。
【０００２】
【従来の技術】
形鋼のローラ矯正機には、駆動側形鋼ローラと作業側形鋼ローラが外周面に所定間隔をあけて取り付けられたローラ主軸が、形鋼の走行路の上下側に千鳥足状に配置されている。
ところで、形鋼ローラ矯正機のローラ主軸の保持形態には、片持ち式と両持ち式がある。片持ち式は、ローラ主軸の軸受をローラ主軸の駆動側だけに配置し、多品種少量の形鋼生産における、頻繁な品種およびサイズの変更に伴う迅速なローラ交換の必要性に対応できる。
【０００３】
しかし、この片持ち式では、軸受が片側だけに配置されている構造から、負荷耐力に限界があるという問題点があった。このことは、特に大型の形鋼を矯正する場合に顕著となっていた。すなわち、矯正反力が増大するので、ローラ主軸の撓みが大きくなり、具体的には形鋼の走行路の上側に配置されたローラ主軸の先側を上方向へ、一方形鋼の走行路の下側に配置されたローラ主軸の先側を下方向へと互いに撓ませ、これを矯正機の正面側から見ると、ちょうど形鋼を中心に、上下側のローラ主軸が相互に開いていた。これにより、形鋼は大きく捩じられ、矯正が十分に行なわれないという問題点があった。そこで、これを解消するために、今日では両持ち式の形鋼ローラの使用頻度が多くなっている。
【０００４】
さて、両持ち式形鋼ローラ矯正機のローラ主軸に取り付けられた駆動側形鋼ローラと作業側形鋼ローラの間隔は、矯正される形鋼の形状や大きさに合わせて、ローラ幅調整装置により幅調整されている。
この従来のローラ幅調整装置として、例えば本願特許出願人が先に出願した実公昭６４−６９８２号公報の「両持式ローラ矯正機のローラ設定幅調整装置」や、特開平３−２０７５２８号公報の「ローラ矯正機のローラ胴幅自動調整装置」に記載されたものが知られている。
これらの従来装置は、何れもローラ主軸に取り付けられた駆動側および作業側矯正ローラの何れか一方を基準に、他方の矯正ローラをローラ主軸に沿って摺動させることによりローラ幅調整を行なうものであった。
【０００５】
【発明が解決しようとする課題】
しかしながら、従来の両持ち式形鋼ローラ矯正機のローラ幅調整装置においては、このように駆動側および作業側矯正ローラの何れか一方を基準にして、他方の矯正ローラをローラ主軸に沿って摺動させていたので、両持ち式形鋼ローラ矯正機の最大の利点である、両側に配置された駆動側、作業側矯正ローラによる形鋼の圧下力を均一にすることは非常に困難であった。
すなわち、矯正機のローラ主軸の中間長さ位置を基点にして、駆動側、作業側矯正ローラを対称配置できないために、矯正反力によるローラ主軸の撓みがそれぞれの矯正ローラの位置において異なり、これにより両矯正ローラの圧下力を均一にできず、矯正後の形鋼に反りが残るという問題点があった。
【０００６】
本発明はかかる事情に鑑みてなされたもので、駆動側および作業側矯正ローラによる形鋼の不均一圧下を防止できる両持ち式形鋼ローラ矯正機のローラ幅調整装置を提供することを目的とする。
【０００７】
【課題を解決するための手段】
前記目的に沿う請求項１記載の両持ち式形鋼ローラ矯正機のローラ幅調整装置は、ローラ主軸の駆動側および作業側の両端部が軸支され、また前記ローラ主軸に、該ローラ主軸からの回転力を伝達可能で、かつ該ローラ主軸の長さ中間位置を基点に互いに近接または離反摺動可能な駆動側矯正ローラおよび作業側矯正ローラが外挿された両持ち式形鋼ローラ矯正機のローラ幅調整装置であって、前記ローラ主軸の基点を中心に、前記駆動側および作業側矯正ローラをローラ軸方向へ摺動させる摺動手段と、前記駆動側および作業側矯正ローラをそれぞれの摺動位置に固定する駆動側および作業側固定手段とを備え、
しかも、前記摺動手段が、前記ローラ主軸の基点の部分に、前記駆動側および作業側矯正ローラの何れか一方ずつをローラ軸方向へ摺動させるローラ幅調整用の中央側雄、雌ねじリングと、外周配置された該中央側雄または雌ねじリングをローラ軸方向への移動は許容させてその周方向の回転を停止可能な中央側ブレーキ手段とを有し、また前記内周配置された中央側雌または雄ねじリングが、前記ローラ主軸の回転に伴って回転するように構成されている。
【０００９】
さらに、請求項２記載の両持ち式形鋼ローラ矯正機のローラ幅調整装置は、請求項１記載の両持ち式形鋼ローラ矯正機のローラ幅調整装置において、前記駆動側固定手段が、前記ローラ主軸の駆動側矯正ローラより駆動側に配置されて、前記中央側雄、雌ねじリングのねじピッチの半分のねじピッチを有する駆動側固定雄、雌ねじリングと、外周配置された該駆動側固定雄または雌ねじリングを、ローラ軸方向への移動は許容させてその周方向の回転を停止可能な駆動側ブレーキ手段とを有しており、また前記作業側固定手段が、前記ローラ主軸の作業側矯正ローラより作業側に配置されて、前記駆動側固定雄、雌ねじリングのねじとは、同一ピッチで逆ねじの作業側固定雄、雌ねじリングと、外周配置された該作業側固定雄または雌ねじリングを、ローラ軸方向への移動は許容させてその周方向の回転を停止可能な作業側ブレーキ手段とを有し、また前記内周配置された駆動側固定雌または雄ねじリング、前記作業側固定雌または雄ねじリングが、前記ローラ主軸の回転に伴って回転するように構成されている。
【００１０】
さらにまた、請求項３記載の両持ち式形鋼ローラ矯正機のローラ幅調整装置は、請求項２記載の両持ち式形鋼ローラ矯正機のローラ幅調整装置において、前記中央側及び／又は駆動側、作業側ブレーキ手段が、対応する前記外周配置された中央側及び／又は駆動側、作業側固定雄または雌ねじリングの外周面に形成された複数の掛止溝に掛止される掛止フックと、該掛止フックの掛止手段とを有するように構成されている。
【００１１】
【作用】
請求項１〜３記載の両持ち式形鋼ローラ矯正機のローラ幅調整装置において、ローラ幅調整を行なう際には、変更された形鋼に合わせて、摺動手段により、ローラ主軸の基点を中心にして、駆動側矯正ローラおよび作業側矯正ローラをローラ主軸に沿って近接または離反させるので、形鋼矯正時の矯正反力によるローラ主軸の撓みがそれぞれの矯正ローラにおいて略同一になり、これにより両矯正ローラの駆動側と作業側の圧下力が均一となって、矯正効果を向上し、矯正後の形鋼の反り幅を小さくできる。
幅調整後、それぞれの駆動側、作業側矯正ローラは、駆動側および作業側固定手段により、それぞれの摺動位置に固定される。
【００１２】
また、この両持ち式形鋼ローラ矯正機のローラ幅調整装置においては、中央側ブレーキ手段により、外周配置された中央側雄または雌ねじリングの回転を停止した状態で、ローラ主軸を回転させると、このローラ主軸に伴って中央側雌または雄ねじリングが回転し、これにより中央側雄、雌ねじリングがローラ軸方向へ摺動して、駆動側、作業側矯正ローラを近接させたり離反させたりできるので、簡単な構造でコスト低下が図れる。
【００１３】
さらに、請求項２記載の両持ち式形鋼ローラ矯正機のローラ幅調整装置において、摺動手段により、駆動側矯正ローラおよび作業側矯正ローラをローラ軸方向へ摺動させる際には、駆動側、作業側ブレーキ手段により、それぞれ外周配置された駆動側固定雄または雌ねじリングと、作業側固定雄または雌ねじリングとの回転を停止させ、この状態でローラ主軸を回転させることにより、中央側雄、雌ねじリングがローラ軸方向へ摺動する。
このとき、内周配置された駆動側固定雌または雄ねじリング、作業側固定雌または雄ねじリングが、ローラ主軸の回転に伴って回転しながら、外周配置された駆動側固定雄または雌ねじリング、作業側固定雄または雌ねじリングに所定量螺入された状態で、対応する中央側雄、雌ねじリングの移動方向へ半ピッチ移動し、これによりローラ幅調整が行なわれる。
幅調整後に駆動側、作業側矯正ローラの位置固定をする場合には、中央側ブレーキ手段によるリング回転停止状態だけを解除して、ローラ主軸を回転させると、駆動側、作業側ブレーキ手段により回転停止されて外周配置されたリングが、ローラ主軸の基点側へ移動して、対応する内周配置されたリングに締着されることにより、駆動側、作業側矯正ローラの位置固定がなされる。
【００１４】
さらにまた、請求項３記載の両持ち式形鋼ローラ矯正機のローラ幅調整装置においては、掛止手段により掛止フックを、対応する外周配置されたリングの外周面に形成された掛止溝に掛止したり、掛止解除したりして、外周配置された該中央側及び／又は駆動側、作業側固定雄または雌ねじリングをローラ軸方向への移動は許容させてその周方向の回転を停止する。
【００１５】
【実施例】
続いて、添付した図面を参照しつつ、本発明を具体化した実施例につき説明し、本発明の理解に供する。
ここに、図１は本発明の一実施例に係る両持ち式形鋼ローラ矯正機のローラ幅調整装置の正面図、図２は同斜視図、図３は同横断面図、図４は図１のＳ４−Ｓ４断面図である。
【００１６】
図３に示すように、本発明の一実施例に係る両持ち式形鋼ローラ矯正機のローラ幅調整装置１０は、ローラ主軸１１の駆動側の端部が、駆動モータが配備された駆動側のチョック１２により軸支され、ローラ主軸１１の作業側の端部が作業側のチョック１３により軸支されている。
ローラ主軸１１には、キー１４（図４参照）を介してスリーブ１５が固定状態で外嵌されており、スリーブ１５には、元部側から順に、駆動側固定手段１６の一例の一部を構成する駆動側固定雄、雌ねじリング１７、１８と、駆動側矯正ローラ１９と、駆動側スペーサーリング２０と、ローラ幅調整用の中央側雄、雌ねじリング２１、２２と、作業側スペーサーリング２３と、作業側矯正ローラ２４と、作業側固定手段２５の一例の一部を構成する作業側固定雄、雌ねじリング２６、２７と、ストッパリング２８が装着されている。これらのうち、スリーブ１５と、駆動側、作業側固定手段１６、２５との間に、該それぞれの固定手段１６、２５をローラ軸方向へ摺動させる滑りキー２９が装着されている。
【００１７】
中央側雄、雌ねじリング２１、２２は、ローラ主軸１１の長さ方向中間位置の基点ａ上に配置されており、その内周側に中央側雄ねじリング２１が配置される一方、外周側に中央側雌ねじリング２２が配置されている。また、駆動側固定雄、雌ねじリング１７、１８および作業側固定雄、雌ねじリング２６、２７においては、それぞれの内周側に駆動側、作業側固定雄ねじリング１７、２６が配置される一方、外周側に駆動側、作業側固定雌ねじリング１８、２７が配置されている。
そして、駆動側固定雄、雌ねじリング１７、１８は、そのねじ切り方向が、中央側雄、雌ねじリング２１、２２のものと反対であり、かつそのねじピッチが、中央側雄、雌ねじリング２１、２２のねじピッチの半分である。
また、作業側固定雄、雌ねじリング２６、２７は、そのねじ切り方向が、中央側雄、雌ねじリング２１、２２のものと同じであり、かつそのねじピッチが、駆動側固定雄、雌ねじリング１７、１８と同じく、中央側雄、雌ねじリング２１、２２のねじピッチの半分である。
さらに、作業側固定雌ねじリング２７の内周部と、ストッパリング２８の外周部との間には、作業側固定雄ねじリング２６のローラ軸方向への摺動を案内するスプライン摺動構造３０が設けられている。
【００１８】
図１、２、４に示すように、各雌ねじリング１８、２２、２７には、ローラ軸方向へ延びる多数本の掛止溝１８ａ、２２ａ、２７ａが、両端面を貫通した状態で形成されており、ローラ矯正機のフレーム３１の各雌ねじリング１８、２２、２７の相対位置には、それぞれピン３２を介して、先端部に掛止爪が形成された掛止フック３３〜３５が垂直回動可能に軸着されている。掛止フック３３〜３５の上端部には、元部がフレーム３１にピン３６を介して軸着された掛止手段の一例であるシリンダ３７〜３９が取り付けられている。
【００１９】
シリンダ３７〜３９のロッド３７ａ〜３９ａを出し入れさせることにより、それぞれピン３２を中心に掛止フック３３〜３５が垂直回動して、各掛止爪が対応する各雌ねじリング１８、２２、２７の掛止溝１８ａ、２２ａ、２７ａに掛止されたり、外れたりする。
掛止フック３３とシリンダ３７とにより、駆動側固定手段１６の一例の他部を構成する駆動側ブレーキ手段４０が構成され、掛止フック３４とシリンダ３８とにより中央側ブレーキ手段４１が構成され、掛止フック３５とシリンダ３９とにより、作業側固定手段２５の一例の他部を構成する作業側ブレーキ手段４２が構成されている。また、中央側雄、雌ねじリング２１、２２および中央側ブレーキ手段４１により、ローラ主軸１１の基点ａを中心に、駆動側矯正ローラ１９および作業側矯正ローラ２４をローラ軸方向へ摺動させる摺動手段４３が構成されている。
【００２０】
続いて、この両持ち式形鋼ローラ矯正機のローラ幅調整装置１０の動作を説明する。
ローラ幅調整を行なう際には、図１に示すように、変更された形鋼に合わせて、摺動手段４３により、ローラ主軸１１の基点ａを中心にして、駆動側矯正ローラ１９および作業側矯正ローラ２４をローラ主軸１１に沿って近接または離反させる。
具体的には、シリンダ３７〜３９のロッド３７ａ〜３９ａを突出させて、掛止フック３３〜３５の掛止爪を対応する各雌ねじリング１８、２２、２７の掛止溝１８ａ、２２ａ、２７ａに掛止する。次いで、ローラ主軸１１を所定方向へ回転させると、この回転に伴って各雄ねじリング１７、２１、２６が回転する。
【００２１】
これらの雄ねじリング１７、２１、２６が回転しても、各雌ねじリング１８、２２、２７は固定されているので、例えば駆動側、作業側矯正ローラ１９、２４の間隔を広げる方向へのローラ幅調整時には、基点ａを中心として、中央側雄、雌ねじリング２１、２２のローラ主軸１１の軸方向外側への移動により、スペーサーリング２０、２３が同じく軸方向外側へ押されて、駆動側、作業側矯正ローラ１９、２４が離反される。このとき、中央側雄、雌ねじリング２１、２２とは反対のねじ切り方向で、ピッチがその半分の駆動側固定雄ねじリング１７が、駆動側矯正ローラ１９の摺動分だけ駆動側固定雌ねじリング１８に螺合すると共に、中央側雄、雌ねじリング２１、２２と同じねじ切り方向で、ピッチがその半分の作業側固定雄ねじリング２６が、作業側矯正ローラ２４の摺動分だけ作業側固定雌ねじリング２７に螺合される。
【００２２】
これに対して、例えば駆動側、作業側矯正ローラ１９、２４の間隔を狭める方向へのローラ幅調整時には、駆動側固定雄ねじリング１７が駆動側固定雌ねじリング１８から基点ａ方向へその螺合が弛むと共に、作業側固定雄ねじリング２６が、作業側固定雌ねじリング２７から基点ａ方向へその螺合が弛むと、これらの固定雄ねじリング１７、２６により、駆動側、作業側矯正ローラ１９、２４が、互いに近接する方向へ押し込まれる。このとき、ローラ主軸１１の回転に伴って、中央側雄ねじリング２１が同方向へ回転することにより、駆動側矯正ローラ１９の摺動分だけ、スペーサーリング２０を介して、中央側雄ねじリング２１が基点ａ側へ摺動し、作業側矯正ローラ２４の摺動分だけ、スペーサーリング２３を介して、中央側雌ねじリング２２が基点ａ側へ摺動する。
【００２３】
ローラ幅調整後に駆動側、作業側矯正ローラ１９、２４の位置固定をする場合には、まずシリンダ３８のロッド３８ａを引き込ませて、掛止フック３４を外側へ回動させて掛止爪を掛止溝２２ａから外す。それからローラ主軸１１を同方向へ回転させると、駆動側、作業側ブレーキ手段４０、４２により回転停止された各固定雌ねじリング１８、２７が、ローラ主軸１１の基点ａ側へ移動して、対応する各固定雄ねじリング１７、２６に堅固に締着されて、駆動側、作業側矯正ローラ１９、２４の位置固定がなされる。
【００２４】
このように、ローラ幅調整時に、形鋼に合わせて、ローラ主軸１１の基点ａを中心にして、駆動側、作業側矯正ローラ１９、２４を近接または離反させるので、従来のように、駆動側および作業側矯正ローラの何れか一方を基準にして、他方の矯正ローラを摺動させていたものに比べ、形鋼矯正時の矯正反力によるローラ主軸１１の撓みがそれぞれの矯正ローラ１９、２４において略同一になり、これにより両持ち式形鋼ローラ矯正機の最大の利点である、両側に配置された駆動側、作業側矯正ローラ１９、２４による形鋼の圧下力を均一にできて、矯正後の形鋼の反り幅を小さくできる。
【００２５】
また、摺動手段４３として、中央側雄、雌ねじリング２１、２２を採用したので、構造が簡単でコスト低下が図れ、故障の発生も低減できる。
さらに、駆動側固定手段１６として、駆動側固定雄、雌ねじリング１７、１８と、駆動側ブレーキ手段４０とを有するものを採用し、また作業側固定手段２５として、作業側固定雄、雌ねじリング２６、２７と、作業側ブレーキ手段４２とを有するものを採用したので、構造が簡単でコスト低下が図れ、故障もし難い。さらにまた、各ブレーキ手段４０〜４２として、掛止フック３３〜３５と、掛止手段の一例であるシリンダ３７〜３９とを採用したので、構造が簡単で設備コストを抑えることができ、また故障が少なく、メンテナンスもし易い。
【００２６】
以上、本発明の実施例を説明したが、本発明はこの実施例に限定されるものではなく、要旨を逸脱しない範囲での設計変更などがあっても本発明に含まれる。例えば、摺動手段は、実施例の構造に限定されなくても、ローラ主軸の基点を中心に、駆動側および作業側矯正ローラをローラ軸方向へ摺動させる構造のものであれば、どのようなものでもよい。例えば油圧シリンダ、送りネジ構造などでもよい。
【００２７】
また、駆動側、作業側固定手段は、実施例のものに限定されなくても、駆動側および作業側矯正ローラをそれぞれの摺動位置に固定できれば、その他どのような構造体からなるものでもよい。例えば油圧シリンダにより楔を抜き差しするものなど、その他どのようなものでもよい。
さらに、駆動側、中央側、作業側の各ブレーキ手段は、実施例のシリンダからなる掛止手段と、掛止フックからなるものに限定しなくても、外周配置された各ねじリングのローラ軸方向への移動を許容させ、かつその周方向の回転を停止できるものであれば、その他どのような構造のものでもよい。
【００２８】
【発明の効果】
請求項１〜３記載の両持ち式形鋼ローラ矯正機のローラ幅調整装置においては、このようにローラ幅調整時に、形鋼に合わせて、ローラ主軸の基点を中心にして、駆動側、作業側矯正ローラを近接または離反させるようにしたので、形鋼矯正時の矯正反力によるローラ主軸の撓みがそれぞれの矯正ローラにおいて略同一になり、これにより両持ち式形鋼ローラ矯正機の最大の利点である、両側に配置された駆動側、作業側矯正ローラによる形鋼の圧下力を均一にできて、矯正後の形鋼の反り幅を小さくでき、矯正効果を向上できる。
【００２９】
そして、この両持ち式形鋼ローラ矯正機のローラ幅調整装置においては、駆動側、作業側矯正ローラの摺動手段として、中央側雄、雌ねじリングおよびその外周配置されるリングの回転を停止させる中央側ブレーキ手段を採用したので、構造が簡単でコスト低下が図れ、故障の発生も低減できる。
【００３０】
また、請求項２記載の両持ち式形鋼ローラ矯正機のローラ幅調整装置においては、駆動側固定手段として、駆動側固定雄、雌ねじリングと、駆動側ブレーキ手段とを有するものを採用し、また作業側固定手段として、作業側固定雄、雌ねじリングと、作業側ブレーキ手段とを有するものを採用したので、構造が簡単でコスト低下が図れ、故障もし難い。
【００３１】
さらに、請求項３記載の両持ち式形鋼ローラ矯正機のローラ幅調整装置においては、駆動側、中央側、作業側ブレーキ手段として、掛止フックと、掛止手段とを有するものを採用したので、構造が簡単で設備コストを抑えることができ、また故障が少ない。
【図面の簡単な説明】
【図１】本発明の一実施例に係る両持ち式形鋼ローラ矯正機のローラ幅調整装置の正面図である。
【図２】同斜視図である。
【図３】同横断面図である。
【図４】図１のＳ４−Ｓ４断面図である。
【符号の説明】
１０  両持ち式形鋼ローラ矯正機のローラ幅調整装置
１１  ローラ主軸
１２  チョック
１３  チョック
１４  キー
１５  スリーブ
１６  駆動側固定手段
１７  駆動側固定雄ねじリング
１８  駆動側固定雌ねじリング
１８ａ  掛止溝
１９  駆動側矯正ローラ
２０  駆動側スペーサーリング
２１  中央側雄ねじリング
２２  中央側雌ねじリング
２２ａ  掛止溝
２３  作業側スペーサーリング
２４  作業側矯正ローラ
２５  作業側固定手段
２６  作業側固定雄ねじリング
２７  作業側固定雌ねじリング
２７ａ  掛止溝
２８  ストッパリング
２９  滑りキー
３０  スプライン摺動構造
３１  フレーム
３２  ピン
３３  掛止フック
３４  掛止フック
３５  掛止フック
３６  ピン
３７  シリンダ
３７ａ  ロッド
３８  シリンダ
３８ａ  ロッド
３９  シリンダ
３９ａ  ロッド
４０  駆動側ブレーキ手段
４１  中央側ブレーキ手段
４２  作業側ブレーキ手段
４３  摺動手段
【図１】
0003615272.tif 000002
【図２】
0003615272.tif 000003
【図３】
0003615272.tif 000004
【図４】
0003615272.tif 000005